(57)【特許請求の範囲】
【請求項１】
ケース（１）内に、第１シリンダー錠（２）と、第１シリンダー錠（２）の解錠動作を受継ぐピニオン（４）と、ピニオン（４）に噛み合う一対のラック板（５・５）と、いずれか一方のラック板（５）が解錠方向へ移動するのを阻止するロック機構（８）とが収容されており、
ロック機構（８）は、第２シリンダー錠（９）と、ラック板（５）の移動をロックするロックレバー（２１）と、ロックレバー（２１）をロック姿勢に移動付勢するばね（２２）と、ばね（２２）の付勢力に抗してロックレバー（２１）をロック解除操作する解除ラック（２３）と、第２シリンダー錠（９）の解錠動作を解除ラック（２３）に伝えるピニオン（２５）とを含んでおり、
ピニオン（２５）は回転自在に軸支されて、解除ラック（２３）と噛み合っており、
解除ラック（２３）が、待機位置と、ロックレバー（２１）をロック解除操作する作動位置とに往復変位できるよう支持されて、ばね（２２）で待機位置へ向かって復帰付勢されており、
待機位置における解除ラック（２３）の端部が、ケース（１）の外面に突出しており、
第１シリンダー錠（２）および第２シリンダー錠（９）が、それぞれケース（１）の外面に臨出している開口遮蔽装置用の錠装置。
【請求項２】
第１シリンダー錠（２）の鍵（２ａ）と、第２シリンダー錠（９）の鍵（９ａ）とが、異なる鍵形状に形成してある請求項１記載の開口遮蔽装置用の錠装置。
【請求項３】
ロックレバー（２１）がロック姿勢と待機姿勢との各姿勢に位置保持できるようキックばね（２２）で揺動付勢されており、
ロック姿勢に切換わったロックレバー（２１）を、解除ラック（２３）でキックばね（２２）の付勢力に抗して待機姿勢に切換え操作でき、
待機姿勢に切換わったロックレバー（２１）は、ラック板（５）の解錠方向への移動動作でロック姿勢に切換え操作できる請求項１記載の開口遮蔽装置用の錠装置。  
【発明の詳細な説明】
【０００１】
【発明の属する技術分野】
本発明は、ローラーシャッターや跳ね上げドアなどの開口遮蔽装置に適用される錠装置、なかでも左右一対のロックバーが互いに逆向きに移動操作されて、開口遮蔽装置を錠止できる錠装置に関する。かかる開口遮蔽装置はガレージや倉庫、あるいは商店などの出入り口に適用される。
【０００２】
【従来の技術】
この種の錠装置は、例えば特開平１１−２１０３６２号公報に公知である。そこでは、シリンダー錠を介して回転操作されるピニオンと、ピニオンに噛み合う左右一対のラック板と、これらを収容するケースと、各ラック板に接続されるロックバー等で構成されている。シリンダー錠を解錠操作すると、ピニオンが回転して左右のラック板を同時に逆向きに移動操作し、ロックバーを錠止状態と解錠状態とに切換えることができる。不正解錠を阻止するために、ピニオンにはラック板を送り操作するギヤ歯と、十文字状の規制歯とを設けてあり、ロックバーを無理やり解錠操作しようとしても、ラック板が規制歯に支えて、ピニオンを解錠回転できないようになっている。
【０００３】
【発明が解決しようとする課題】
上記の錠装置によれば、解錠阻止機能を備えている分だけ犯罪の発生を抑止できる。それでも、解錠阻止機構が万全であるとは言いがたく、例えば豊富な解錠知識を有する者の手に掛かると簡単に解錠されてしまう。他の錠装置に比べてシリンダー錠の構造が簡単であるため、容易にピッキングされてしまうからである。
【０００４】
また、悪意を持つ侵入者は、シリンダー錠を破壊し、あるいはロックバーを抉じ開けるなど、錠装置を破壊して侵入を試みることがある。このような破壊行為に対する効果的な防御手段は少ない。因みに、犯罪が多発する都市部では、玄関ドアにいくつもの錠装置を取り付ける防御法が推奨されている。そこでは全ての錠装置が破壊されるまでの時間を長引かせて人目につきやすくし、あるいは錠装置の破壊に多くの手間が掛かるようにすることで、侵入をあきらめさせることを目的にしており、破壊型の不正解錠に対する効果的な防御手段のひとつになっている。
【０００５】
本発明の目的は、複数個のシリンダー錠と、ラック板の解錠方向への移動を阻止するロック機構とを備えており、従ってピッキング等の不正解錠が困難であるうえに、破壊型の不正解錠にも充分な抵抗力を発揮できる、防犯効果に優れた開口遮蔽装置用の錠装置を提供することにある。本発明の目的は、従来の錠と同様に一方のシリンダー錠のみで施錠できるが、解錠するときは２個のシリンダー錠を正しい手順で解錠操作する必要があり、従ってピッキング等の不正解錠を困難化できる、防犯効果に優れた開口遮蔽装置用の錠装置を提供することにある。
【０００６】
【課題を解決するための手段】
本発明の錠装置は、図２に示すようにケース１内に、第１シリンダー錠２と、第１シリンダー錠２の解錠動作を受継ぐピニオン４と、ピニオン４に噛み合う一対のラック板５・５と、いずれか一方のラック板５が解錠方向へ移動するのを阻止するロック機構８とが収容されている。
【０００７】
このうちロック機構８は、第２シリンダー錠９と、ラック板５の移動をロックするロックレバー２１と、ロックレバー２１をロック姿勢に移動付勢するばね２２と、ばね２２の付勢力に抗してロックレバー２１をロック解除操作する解除具２３と、第２シリンダー錠９の解錠動作を解除具２３に伝える操作体２５とを含んでおり、第１シリンダー錠２および第２シリンダー錠９は、それぞれケース１の外面に臨出していることを特徴とする。
【０００８】
具体的には、前記操作体が、回転自在に軸支されたピニオン２５であって、解除具が、ピニオン２５と噛み合う解除ラック２３であり、解除ラック２３が、待機位置と、ロックレバー２１をロック解除操作する作動位置とに往復変位できるよう支持されて、ばね２２で待機位置へ向かって復帰付勢されており、待機位置における解除ラック２３の端部が、ケース１の外面に突出している。
【０００９】
第１シリンダー錠２の鍵２ａと、第２シリンダー錠９の鍵９ａとは、異なる鍵形状に形成しておくことができる。
【００１０】
ロックレバーは、ロック姿勢と待機姿勢との各姿勢に位置保持できるようキックばね２２で揺動付勢されており、ロック姿勢に切換わったロックレバー２１は、解除ラック２３でキックばね２２の付勢力に抗して待機姿勢に切換え操作でき、待機姿勢に切換わったロックレバー２１は、ラック板５の解錠方向への移動動作でロック姿勢に切換え操作できるようになっている。
【００１１】
【発明の作用効果】
本発明の錠装置は、第１シリンダー錠２、ピニオン４、および一対のラック板５・５などからなる錠機構と、第２シリンダー錠９を含むロック機構８とで構成し、ロックバー７と開口枠との係合状態を開放するのに各シリンダー錠２・９の解錠が必須不可欠であるようにした。しかも、従来の錠と同様に第１シリンダー錠２のみで施錠できるが、解錠するときは第１・第２の各シリンダー錠２・９を正しい手順で解錠操作しない限りは解錠できないようにした。従って、ピッキング等の不正解錠を行うにしても、錠装置を破壊するにしても、従来の錠装置に比べて手間と時間が掛かる。従って、不正解錠を試みる者の意欲を削ぐことができ、その分だけ防犯効果に優れた錠装置が得られる。さらに、ロック機構８のロックレバー２１で、施錠状態に切換わったラック板５が解錠方向へ移動するのを物理的に阻止して、ロックバー７の抉じ開けをさらに困難なものにしてあるので、破壊型の不正解錠に対する抵抗力が増強し、全体として不正解錠を効果的に阻止できる。
【００１２】
第２シリンダー錠９の解錠動作をピニオン２５を介して解除ラック２３に伝え、解除ラック２３をスライド操作してロックレバー２１をロック解除操作するロック機構においては、解除ラック２３をばね２２の付勢力に逆らってケース１内へ押込み操作することにより、ロックレバー２１を屋内側からロック解除操作できる。従って、開口遮蔽装置とは別の通用口から出入りする際に、鍵を使用する必要もなく錠装置を施錠し、あるいは解錠操作できる。そのために、解除ラック２３は前記ばね２２で復帰付勢し、その端部がケース１の外面に常時突出するようにしてある。
【００１３】
第１・第２シリンダー錠２・９の鍵２ａ・９ａが異なる鍵形状になっていると、ピッキングに多くの手間を要するので、不正解錠を試みる者の解錠意欲を削いで、より高度の防犯効果が発揮される。
【００１４】
ロックレバー２１は解除ラック２３およびラック板５でロック姿勢と待機姿勢とに切換え、各姿勢をキックばね２２で位置保持できるようにしたロック機構によれば、一定の手順に従って操作しない限り解錠できないので、その分だけ不正解錠の手間が増えて防犯効果に有利となる。
【００１５】
【実施例】
（実施例１）  図１ないし図９は本発明に係る錠装置の実施例１を示す。図２において錠装置は、第１シリンダー錠２と、そのホルダー３と、第１シリンダー錠２の鍵２ａで回転操作されるピニオン４と、ピニオン４に噛み合う左右の第１ラック板（ラック板）５・５および第２ラック板６・６と、第２ラック板６・６に連結されるロックバー７・７と、図２において右方の第１ラック板５が解錠方向に移動するのを阻止するロック機構８と、これらの部材を収容する左右横長のケース１とからなる。ロック機構８は第２シリンダー錠９を含んでいる。
【００１６】
ケース１は、図２および図６に示すごとく前面が開口するケース本体１ａと、ケース本体１ａにこれの前面を閉じるよう蓋合わせ状に接合固定されるケース蓋１ｂとからなり、ケース本体１ａの内部に先の錠構成部品が組付けられる。なお、この実施例１では、ラック板がそれぞれ左右の上下に設けた第１ラック板５・５と第２ラック板６・６とからなる。
【００１７】
図３においてピニオン４は、通常のギヤ歯１１と、十文字状の規制歯１２とを多段状に形成したダイキャスト成形品からなり、ボス部の対向内面に第１シリンダー錠２の鍵２ａの進入を許すキー溝１３が形成されている。ピニオン４と第１・第２ラック板５・６とは、所定状態でケース本体１ａに組み、第１シリンダー錠２が装填されたホルダー３をケース本体１ａに締結することにより、ピニオン４と両ラック板５・６をホルダー３で分離不能に位置決め保持して組み付ける。但し、ケース本体１ａに対して、ピニオン４は回転可能であって、両ラック板５・６は左右方向にスライド変位可能である。図１および図３などにおいては、図面が煩雑化するのを避けるために、第１シリンダー錠２とそのホルダー３とを図示していない。
【００１８】
図２において左右の第１ラック板５は、錠装置をガレージ内部から解錠操作するために備えており、左右に長い腕部５ａと、腕部５ａの一端に設けた操作部５ｂとを一体に形成したＬ字状のプレス金具からなる。腕部５ａの他側に先のギヤ歯１１と噛み合うラック歯１４が形成されている。ロック機構８でロック保持される右方の第１ラック板５は、左方の第１ラック板５に比べて左右方向に長く形成してあり、その腕部５ａの中途部にロック段部（ロック部）１５と、三角形状の切欠１６とを形成してある。ロック段部１５および切欠１６が果たす機能は後述する。
【００１９】
第２ラック板６は、施錠状態（または解錠状態）に切換わったロックバー７が解錠方向（または施錠方向）へ移動操作されるのを規制するために設けられており、左右に長い腕部の一側に規制歯１２と噛み合う係合歯１８を形成してある。ピニオン４を施錠状態（または解錠状態）に切換えた状態では、十文字状であった規制歯１２が、図３に示すＸ字状に回転変位するが、このとき係合歯１８に設けた斜めの規制壁１９が規制歯１２の歯先面に当たる。そのため、第２ラック板６を押し引き操作したとしても、規制歯１２はピニオン中心へ向かって押し付けられるだけで、ピニオン４に回転モーメントが作用せず、このことを利用してロックバー７が解錠方向（または施錠方向）へ移動操作されるのを規制している。
【００２０】
因みに、第１ラック板５を解錠方向（または施錠方向）へ移動操作すると、ピニオン４が回転操作され、同時に規制歯１２が同行回転するので、第２ラック板６は支障なく解錠方向（または施錠方向）へ移動する。
【００２１】
図１および図２においてロック機構８は、ケース本体１ａに固定したピン２０まわりに揺動自在に支持されたロックレバー２１と、ロックレバー２１を揺動付勢するキックばね（ばね）２２と、キックばね２２の付勢力に抗してロックレバー２１をロック解除操作する解除ラック（解除具）２３と、第２シリンダー錠９およびおよびそのホルダー２４と、第２シリンダー錠９の解錠動作を解除ラック２３に伝えるピニオン（操作体）２５とからなる。
【００２２】
ロックレバー２１は、図１に示すごとく銀杏葉状の解除爪２７とロック腕２８とを一体に備えたプレス金具からなり、ロック腕２８の先端に第１ラック板５のロック段部１５を受け止めるストッパー壁２９が斜めに形成してある。ロックレバー２１は、ストッパー壁２９がロック段部１５に係合する図８のロック姿勢と、ストッパー壁２９がロック段部１５から離脱する図１の待機姿勢とに揺動変位できる。
【００２３】
キックばね２２は半円状に折曲げた板ばねからなり、ケース本体１ａの壁に設けた掛止片４３と、ロック腕２８の掛止爪４４との間に装着されてロックレバー２１を揺動付勢しており、ロック姿勢と待機姿勢との各切換え位置において、各姿勢を位置保持する向きにロックレバー２１を揺動付勢できる。つまり、キックばね２２は、先の掛止片４３とピン２０の中心を結ぶ線を境界線にして、ロック腕２８の掛止爪４４が境界線のいずれの側にあるかで、ロックレバー２１を互いに逆向きに揺動付勢して、トッグル作用を発揮できる。
【００２４】
かくして、ロックレバー２１がロック姿勢に切換わった状態では、解除爪２７の先端が解除ラック２３の操作爪３３で受け止められている。また、ロックレバー２１をロック姿勢から待機姿勢に切換えた状態では、ロック腕２８に連続する衝当壁３０が、第１ラック板５のロック段部１５のスライド領域に非接触状態で侵入している。
【００２５】
解除ラック２３は、一側にピニオン２５と噛み合うギヤ歯３２を有し、他側寄りにロックレバー２１をロック解除操作する操作爪３３を突設した、左右に長い帯状のプレス金具からなる。解除ラック２３は、図１の想像線で示す待機位置と、図１の実線で示す作動位置とにスライド変位してピニオン２５を回転操作する。ケース本体１ａの掛止片４５と、ギヤ歯３２側のラック端に設けた掛止爪４６との間には、引張りコイル形のばね３４を掛け止めてあり、解除ラック２３は該ばね３４で待機位置へ向かって常に復帰するよう引っ張り付勢されている。待機状態における解除ラック２３の端部３５は、ケース１の外面に大きく突出しており、この端部３５をばね３４に抗してケース１内側へ押し込み操作することにより、ロックレバー２１を屋内からロック解除操作できる。
【００２６】
また、第２シリンダー錠９を解錠操作することにより、ピニオン２５を介して解除ラック２３を作動位置へスライドさせて、ロックレバー２１をロック解除操作できる。図７に示すように、第１シリンダー錠２の鍵２ａと、第２シリンダー錠９の鍵９ａとは、それぞれの鍵形状を異ならせてあり、これによってピッキングによる不正解錠を困難化なものにしている。
【００２７】
ピニオン２５は、前述のピニオン４と同様のギヤ歯３６を備えたダイキャスト成形品からなり、ボス部の対向内面に第２シリンダー錠９の鍵９ａの進入を許すキー溝３７が形成してある。ここでは十文字状の規制歯は省略してある。ピニオン２５と解除ラック２３とは、両者が互いに噛み合う状態でケース本体１ａに組み込み、第２シリンダー錠９が装填されたホルダー２４をケース本体１ａに締結することにより、ピニオン２５および解除ラック２３を分離不能にケース本体１ａと一体化する。但し、この組付け状態において、ピニオン２５は回転可能であり、解除ラック２３はスライド変移可能である。
【００２８】
上記構成の錠装置は、例えば図７に示すように、ガレージの出入口を開閉するローラーシャッター（開口遮蔽装置）３８のスラット３９の内面に組付けて使用する。錠装置のうち、両シリンダー錠２・９のみがスラット３９の外面に露出している。ローラーシャッター３８を開けるときは、まず第２シリンダー錠９を解錠操作してロックレバー２１をロック解除し、次いで第１シリンダー錠２を解錠操作してロックバー７を解錠移動させる。次に、このときの各部材の詳細な動作を説明する。
【００２９】
図８は施錠下における錠装置の内部状態を示す。図８および図９では、施錠動作と解錠動作の理解を助けるために第１ラック板５と第２ラック板６とを分離した状態で図示した。第１ラック板５の操作部５ｂと、第２ラック板６の端部とは、それぞれケース２の外側方へ突出した状態になっており、ロックレバー２１はロック姿勢に保持されている。解除ラック２３の端部３５もケース１の外部に突出している。
【００３０】
この状態から、第２シリンダー錠９を解錠操作すると、その鍵９ａでピニオン２５が時計回りに回転され、同時に解除ラック２３が図８において左方へスライド移動する。この解除ラック２３のスライド動作に伴って、操作爪３３で解除爪２７がキックばね２２の付勢力に抗して時計回り方向へ回動操作され、ロックレバー２１が待機姿勢に切換わる。待機姿勢での解除爪２７はホルダー３の周面で受け止められている。
【００３１】
この状態では、図１に示すようにストッパー壁２９が上側の第１ラック板５のスライド領域から退避しているので、第１シリンダー錠２を解錠操作すると、第１ラック板５および第２ラック板６はケース１内に退入する解錠方向へスライド操作できる。このとき、第１ラック板５のスライド領域内に入り込んでいた衝当壁３０が、ロック段部１５に押されて、ロックレバー２１は図９に示すように再びロック姿勢に切換えられるが、ロック腕２８が第１ラック板５の周縁中途部で受け止められるので、完全なロック姿勢にはならない。
【００３２】
両ラック板５・６がケース１内へ完全に退入移行すると、ロック腕２８の先端が第１ラック板５の切欠１６に落ち込み係合する。以上のように錠装置を解錠することにより、ロックレバー２１をロック姿勢にリセットできる。この後、第１シリンダー２を施錠操作すると、両ラック板５・６を再び施錠状態に戻すことができる。このとき、ロックレバー２１はロック位置へ揺動してロック段部１５と係合し、図８の状態に復帰する。
【００３３】
ガレージによっては、ローラーシャッター３８とは別の通用口にドアが設けてあり、このドアからガレージに出入りすることがある。その場合には、屋内から第１ラック板５をケース１内に押し込み操作して、ロックバー７を施錠操作することができる。また、解除ラック２３を端部３５を介してケース１内に押し込んでロックレバー２１を解除操作した後、第１ラック板５を解錠操作することにより、ロックバー７を解錠操作することができる。
【００３４】
上記の実施例では、ラック板を第１ラック板５・５と第２ラック板６・６とで構成したが、その必要はなく、１種のラック板５Ａ・５Ａとピニオン４とで第１シリンダー錠２の解錠動作を往復動作に変換できる。
【００３５】
また、ケース１の外面にピニオン４を回転操作するレバー４２を設けて、錠装置を屋内から解錠操作可能とすることができる。図１０および図１１は、その場合の実施例２を示す。
【００３６】
図１０において、ピニオン４は十文字状の規制歯１２のみを備えていて、ギヤ歯は省略されている。ラック板５Ａは、実施例１における第２ラック板６と同様に、規制歯１２と噛み合う係合歯１８と規制壁１９とを備えている。このように、ギヤ歯が省略されたピニオン４の場合には、ラック板５Ａを操作してピニオン４を回転操作することができず、屋内から錠装置を施錠および解錠操作できないことになる。しかし、図１１に示すようにケース１の外面に設けたレバー４２を両ピニオン４・２５に直結しておくと、各レバー４２を回転操作することでラック板５Ａを自由に切換え操作でき、同様に解除ラック２３を自由に切換えることができる。
【００３７】
図１０に示すように、ロック機構８は実施例１と同じであるが、ラック板５Ａにロック段部（ロック部）１５を設けて、ロックレバー２１でロック保持できるようにする。また、解除ラック２３の全体をケース本体１ａの内部に収容しておくことができる。他は先の実施例１と同じであるので、同じ部材には同じ符号を付して、その説明を省略する。
【００３８】
上記以外に、ピニオン４・２５は鍵２ａ・９ａで直接に操作する必要はなく、各シリンダー錠２・９に操作軸を設けておき、この操作軸をピニオン４・２５に連結して解錠動作を伝えることができる。解除具２３と操作体２５とは、ピニオン・ラック機構である必要はなく、例えば往復回転するレバーやディスクで操作体２５を構成し、帯板状の解除具２３を操作体２５で往復スライド操作できる。この場合には、解除具２３と操作体２５とのいずれか一方に、両者の軌跡差を吸収する長穴を設ける。キックばね２２はばね線材でも形成できる。
【００３９】
ロック機構８用のピニオン２５は、図３に示すピニオン４をそのまま使用できる。その場合には、規制歯１２が余分となるが、既存のピニオン４を活用できるので、ロック機構８の製造コストを削減化できる。ロック機構８は、左右のラック板５・５ごとに設けることができる。
【図面の簡単な説明】
【図１】ロック機構の正面図
【図２】錠装置の分解斜視図
【図３】錠機構の正面図
【図４】図９におけるＡ−Ａ線断面図
【図５】図９におけるＢ−Ｂ線断面図
【図６】錠装置を背面側から見た斜視図
【図７】錠装置の使用例を示す正面図
【図８】ロック状態のロック機構と錠機構とを示す正面図
【図９】アンロック状態のロック機構と錠機構とを示す正面図
【図１０】実施例２に係る錠装置の正面図
【図１１】実施例２の錠装置を背面から見た斜視図
【符号の説明】
１  ケース
２  第２シリンダー錠
３  ホルダー
４  ピニオン
５  第１ラック板
６  第２ラック板
８  ロック機構
９  第２シリンダー錠
２１  ロックレバー
２２  キックばね
２３  解除ラック
２５  ピニオン
【図１】
0003805717.tif 000002
【図２】
0003805717.tif 000003
【図３】
0003805717.tif 000004
【図４】
0003805717.tif 000005
【図５】
0003805717.tif 000006
【図６】
0003805717.tif 000007
【図７】
0003805717.tif 000008
【図８】
0003805717.tif 000009
【図９】
0003805717.tif 000010
【図１０】
0003805717.tif 000011
【図１１】
0003805717.tif 000012